(57)【特許請求の範囲】
【請求項１】
蘚苔類増殖体の施工方法であって、
（１）蘚苔類の再生可能性部分と、ピートモス、水苔、腐葉土、パーライト、パーミキュライト及びケイソウ土からなる群から選択された粒径0.1〜2mmの粒子とを分散して含有する水溶性ゲル形成性高分子の水溶液を調製する工程、
（２）前記水溶液を、有機質素材、無機質素材又は土壌表面に塗布して、該表面に塗布層を形成する工程、
（３）前記塗布層を、硬化剤を含有する溶液と接触させる工程、
を有することを特徴とする方法。
【請求項２】
前記蘚苔類の再生可能性部分が、蘚苔類の配偶体、胞子体、原糸体又は胞子からなる群から選択される請求項１に記載の方法。
【請求項３】
平坦な基体上に形成された蘚苔類増殖体の形成方法であって、
（１）蘚苔類の再生可能性部分と、ピートモス、水苔、腐葉土、パーライト、パーミキュライト及びケイソウ土からなる群から選択された粒径0.1〜2mmの粒子とを分散して含有する水溶性ゲル形成性高分子の水溶液を調製する工程、
（２）編織物又は紙からなる基体に前記水溶液を塗布する工程、
（３）得られた塗布物を、硬化剤を含有する溶液と接触させる工程、
を有することを特徴とする方法。
【請求項４】
前記蘚苔類の再生可能性部分が、蘚苔類の配偶体、胞子体、原糸体又は胞子からなる群から選択される請求項３に記載の方法。
【発明の詳細な説明】
【０００１】
【発明の属する技術分野】
本発明は、任意の場所及び対象物に対して、任意の大きさ及び形状で、蘚苔類を簡易に付着、生育することのできる蘚苔類増殖体及びその製造方法に関する。
【０００２】
【従来技術】
従来より、大規模施工に適したスギゴケを施工する場合、スギゴケをそのまま蒔いたり、その胞子を散布することが行われていた。また、例えば、盆栽における苔付着に当たっては、ギンゴケが使用され、この場合、植生地からギンゴケを採取して、それを移植することが行われている。
しかしながら、スギゴケの施工においては、短期間にターフを形成せず、そのためターフが高価となり、問題となっていた。また、予め他所において生育させたスギゴケのターフは、施工が大規模な場所になるほど搬入にかなりの手間がかかり、その上施工する場所によって不適なものがあり、問題となっていた。一方、ギンゴケの施工については、施工するに当たっては、盆栽の大きさに応じて、形状や大きさを調整した苔ターフを採取する必要があり、大変に煩雑であり、従って、高価なものとなる。
【０００３】
【課題を解決するための手段】
従って、本発明は、簡易かつ任意の場所及び対象物に対して、任意の大きさ及び形状で、蘚苔類を生育することのできる蘚苔類増殖体を提供することを目的とする。
本発明者は、上記課題を達成するため鋭意検討した結果、蘚苔類の再生可能性部分と、保水性有機物質又は保水性無機物質とを、硬化した水溶性ゲル形成性高分子中に保持することにより、上記課題を確実に達成できることを見出し、本発明に到達したものである。
【０００４】
【発明の実施の形態】
以下、本発明について詳細に説明する。
本発明で使用される蘚苔類の再生可能性部分としては、好ましくは、蘚苔類の配偶体、胞子体、原糸体又は胞子が使用される。参考のために、図１に、蘚類の構造に関する概念図を示す。
配偶子は、合体や接合を通して、ゲノムセットの一部を混合又は交換し、一個体として発生できる生殖細胞である。胞子体は、胞子をつくり、生殖を行う世代の生物体である。原糸体は、胞子が発芽後、配偶体の本体の頂端細胞を形成するまでの植物体である。また、胞子は、無性生殖の手段として形成する生殖細胞であり、配偶体と異なって、単独で新個体（世代）となることができる。
【０００５】
本発明で使用することのできる蘚類としては、例えば、スギゴケ科（例えば、オオスギゴケ）や、カサゴケ科（例えば、ギンゴケ）、シッポゴケ科、シノブゴケ科、ミズゴケ科、ハイゴケ科等を使用することができる。また、苔類としては、上記のような、ゼニゴケ科や、ムチゴケ科、更には、ウロコゴケ科等を使用することができる。
蘚苔類の再生可能性部分として、原糸体を使用する場合には、予め、蘚苔類の胞子を、例えば、1/10〜1/20ＭＳ寒天培地上に無菌播種し、これを約１０日前後培養することにより、原糸体を発芽させ、発芽後約１ヶ月経過した原糸体を1/10〜1/20ＭＳ液体培地中で更に約３週間、回転培養又は振盪培養して、約２倍程度増殖させてから使用することが好ましい。長期間経過し、増殖速度が遅くなった場合は培地の更新を行えば、これ以上の増殖も可能である。また、上記の液体培養をジャーファメンター等を使用して行うのも良い。
【０００６】
蘚苔類の再生可能性部分としては、また、蘚苔類の配偶体や、胞子体を例えば、ミル等によって粉砕したり、原糸体を溶液中でミキサーによる細断してもよい。この場合、過度の粉砕及び細断は、蘚苔類の再生能を失わせる原因となるので、通常、１〜１０mm、好ましくは２〜５mmとすることが適当である。
なお、スギゴケ科の蘇類等の乾燥に非常に弱い蘚類は、なるべく乾燥させないように収穫から粉砕までを手早く行うことが好ましい。
本発明で使用される保水性有機物質及び保水性無機物質は、蘚苔類の再生可能性部分とともに、以下で説明する硬化した水溶性ゲル形成性高分子中に分散されて保持された場合に、蘚苔類の再生可能性部分が乾燥するのを防止する機能を有する。
【０００７】
保水性有機物質としては、例えば、吸水性高分子物質や、その他の吸水性有機物質が挙げられる。吸水性高分子物質としては、水不溶性性で自重の数十倍〜数百倍或いは千倍以上の水を吸収及び保持することのできる高分子物質が挙げられ、具体的には、例えば、ポリエチレンオキサイド架橋体や、ポリビニルピロリドン架橋体、スルホン化ポリエチレン架橋体、デンプン−（メタ）アクリロニトリルグラフト共重合体鹸化物、加水分解された架橋ポリアクリルアミド、自己架橋ポリアクリル酸塩、デンプン−（メタ）アクリル酸塩共重合体、ポリビニルアルコール架橋体、ビニルエステル−不飽和カルボン酸（エステル）共重合体鹸化物、エチレン−ビニルエステル−不飽和カルボン酸（エステル）共重合体鹸化物、ヒドロキシアルキルアクリレート−アクリルアミド共重合体鹸化物等が挙げられる。
【０００８】
その他の吸水性有機物質としては、例えば、ピートモスや、水苔、腐葉土等が挙げられる。粒径は、通常、0.１〜２mm、好ましくは0.３〜1.５mm、特に好ましくは0.５〜1.０mmが好適である。
また、本発明で使用される保水性無機物質としては、例えば、パーライトや、パーミキュライト、ケイソウ土等を挙げることができる。粒径は、通常、0.１〜２mm、好ましくは0.３〜1.５mm、特に好ましくは0.５〜1.０mmが好適である。
蘚苔類の再生可能性部分は、蘚苔類の再生可能性部分及び保水性有機物質又は保水性無機物質の合計量に基づいて、通常、２５〜６０重量％、好ましくは２０〜５０重量％、特に好ましくは３０〜４０重量％が好適である。
本発明で使用される硬化した水溶性ゲル形成性高分子は、水溶性ゲル形成性高分子を硬化することによって得られるものであり、蘚苔類の再生可能性部分をその内部に保持することにより、外部環境から隔離し、保護する機能を有する。
【０００９】
水溶性ゲル形成性高分子は、従来より、カプセル化剤として使用されているものであれば、特に制限なく各種の高分子を使用することができる。このような水溶性ゲル形成性高分子としては、例えば、アルギン酸や、ファーセレラン、ペクチン、フィプニーン、デキストラン、ゼラチン、タマリンド、グアーガム、アクリルアミド、カラジーナン、寒天、アミロース、デンプン、キチン等を使用することができる。
これらの水溶性ゲル形成性高分子は、水溶液の状態で使用される。この場合、水溶液中における水溶性ゲル形成性高分子の濃度は、通常、１〜１０重量％、好ましくは２〜５重量％、特に好ましくは２〜３重量％である。
水溶性ゲル形成性高分子の水溶液中における蘚苔類の再生可能性部分の量は、通常、５〜４０g/リットル、好ましくは１５〜３０g/リットルが適当である。また、水溶性ゲル形成性高分子の水溶液における保水性有機物質の量は、通常、５〜４０g/リットル、好ましくは１５〜３０g/リットルが適当である。更に、水溶性ゲル形成性高分子の水溶液における保水性無機物質の量は、通常、１〜２０g/リットル、好ましくは５〜１５g/リットルが適当である。
なお、水溶性ゲル形成性高分子の水溶液には、必要に応じて、腐敗を防ぐために、ベノミルや、ストレプトマイシン等の抗菌剤を入れたり、栄養素を配合してもよい。栄養素としては、例えば、糖類（例えば、庶糖等）や、各種アミノ酸、脂肪類、ミネラル等が挙げられる。
【００１０】
一方、上記水溶性ゲル形成性高分子を硬化させるのに使用する硬化剤としては、従来より、公知の硬化剤を特に制限なく使用することができる。そのような硬化剤としては、例えば、多価カチオン、例えば多価金属カチオンを含有する化合物、例えば、その塩や、水酸化物等を使用することができる。具体的には、硬化剤としては、例えば、塩化カルシウムや、塩化ランタン、塩化第二鉄、塩化コバルト、硝酸カルシウム、水酸化カルシウム等を挙げることができる。
硬化剤は、通常、水溶液の状態で使用される。この場合、硬化剤の濃度は、通常、0.０１〜２Ｍ、好ましくは0.０５〜１Ｍ、特に好ましくは0.１〜0.５Ｍが適当である。
水溶性ゲル形成性高分子の硬化は、水溶性ゲル形成性高分子の水溶液を硬化剤水溶液と接触することによって行うことができる。
【００１１】
本発明の蘚苔類増殖体は、蘚苔類の再生可能性部分と、保水性有機物質又は保水性無機物質とを分散して含有する水溶性ゲル形成性高分子の水溶液を、硬化剤を含有する溶液と接触することによって製造することができる。
詳細に述べれば、水溶性ゲル形成性高分子中に、蘚苔類の再生可能性部分と、保水性有機物質又は保水性無機物質とを分散して含有する分散液を、例えば、パイプを通して、硬化剤を含有する溶液中に滴下することによって、ビーズ状の又はカプセル状の蘚苔類増殖体を製造することができる。また、上記分散液を、例えば、天然繊維や、化学繊維、再生繊維等のネットや布、又は紙の上に塗布し、その塗布物を上記硬化剤含有溶液中に浸漬する等によって、接触させることによって、平坦な基体上に形成された蘚苔類増殖体が得られる。この場合、平坦な蘚苔類増殖体は、ロール状に捲回することができるので、場所を取らない形で保存可能である。更に、上記分散液を、直接各種の材質の素材、例えば、有機質素材、無機質素材又は土壌表面の上に塗布し、硬化剤含有溶液中に浸漬するか、硬化剤含有溶液を流すか吹き付ける等の手段によって接触することにより、各種の場合に、任意の大きさ及び形状で蘚苔類増殖体を固定することができる。そのような素材としては、例えば、庭石や、盆栽の景石、その木の根元等に本発明の蘚苔類増殖体を施工することができる。
【００１２】
得られた蘚苔類増殖体は、密封して例えば、２４℃以下の直射日光の当たらない場所で保存することが適当である。
このようにして得られた蘚苔類増殖体は、直射日光を好まない蘚苔類に関しては日陰地で栽培するか、どうしても直射日光が当たる場合はむしろや寒冷紗などで日射を弱め１日２度以上の散水を行うことが好ましい。直射日光や乾燥に強い蘚苔類であっても１日１度の散水は必要である。このようにして、例えば、オオスギゴケで約２０日で再生が始まり、５ヶ月後にはターフが形成される。
以下、本発明について、実施例により更に詳細に説明する。なお、実施例等における「％」表示は、特に断らない限り、「重量％」を意味を有する。
【００１３】
実施例１
オオスギゴケの地上部のみミルを使って５〜１０秒間粉砕し、約２mmの粉砕物を調製した。次に、１５ｇのオオスギゴケ粉砕物と、１５ｇのピートモス粉砕物（粒径：0.８mm）と、１５ｇのパーライト粉砕物（粒径：0.８mm）とをアルギン酸ナトリウムの2.５％水溶液、１リットル中に混合して、分散液を調製した。この分散液を、直径５mmのビニール管を通してローラーポンプで吸引し、これを0.５ＭのＣａＣｌ2 溶液に滴下してビーズ状で硬化させた。
得られたビーズは、ガラス瓶の中に敷いた水に浸したピートモスの上に５粒配置し、２４℃、１０００ルックスの条件下で培養したところ、３週間で均一に発芽した。また、圃場において、遮光率８０％の寒冷紗で覆ったハウスの中で、育苗箱に黒土を入れ、その上に上記ビーズを敷き詰め、保持したところ、これも約３週間で発芽した。なお、比較例として、一般的な方法である蒔きゴケ法による増殖を同様に行ったところ、これも約３週間で発芽を開始した。
【００１４】
実施例２
オオスギゴケの胞子を1/20ＭＳ寒天培地上に無菌播種し、１０日間で培養して、原糸体を発芽させた。発芽後１ヶ月経過した原糸体を1/20ＭＳ液体培地中で回転培養し、１ヶ月間増殖させた後、原糸体を水中でミキサーにより細断した。この時の細断物の大きさは、５mmであった。
この細断物を、1/20ＭＳ液体培地で調製した2.５％アルギン酸ナトリウム溶液中に分散させたことを除いて、実施例１と同様にしてビーズを調製し、圃場で栽培したところ、実施例１と同様に、約３週間で発芽した。
実施例３
オオスギゴケの地上部のみミルを使って５〜１０秒間粉砕し、約２mmの粉砕物を調製した。次に、３０ｇのオオスギゴケ粉砕物と、３０ｇのピートモス粉砕物（粒径：0.８mm）と、１５ｇのパーライト粉砕物（粒径：0.８mm）とをアルギン酸ナトリウムの2.５％水溶液、１リットル中に混合して、分散液を調製した。この分散液を、予めプラスッチック製トレーの中に敷設した綿布の上に万遍なく塗布した。塗布後直ちに、0.５ＭのＣａＣｌ2 溶液を流し込み、分散液を硬化させ、平坦な蘚苔類増殖体を調製した。
このように蘚苔類増殖体を、５×５cmの大きさに切断し、実施例１と同様に育成したところ、約３週間で発芽した。また、実施例１と同様にして、圃場で育成したところ、これも約３週間で発芽し、ターフを形成した。
【００１５】
実施例４
実施例３と同様にして、分散液を調製し、これを、盆栽の景石の表面に塗布し、その後直ちに0.５ＭのＣａＣｌ2溶液をその上から流し、硬化させた。この石を密封ガラス瓶の中に入れ、実施例３と同様にして育成したところ、景石の表面で約３週間で発芽した。
【００１６】
【発明の効果】
本発明による蘚苔類増殖体は、任意の場所及び対象物に対して、任意の大きさ及び形状で、簡易に蘚苔類を付着、生育させることができる。
【図面の簡単な説明】
【図１】  蘚類の構造を示す概略図である。
【図１】
0003774281.tif 000002